(57)【特許請求の範囲】
【請求項１】
配線の接続方法を表現した接続図面を示す接続図面データに基づいて、配線の接続作業のノウハウを反映した接続順に配線を接続すべき複数の接続位置の読み上げと表示との少なくとも一方を行うことで前記接続作業を指示可能な配線接続指示データを生成するデータ生成部と、
前記配線接続指示データに基づいて前記接続作業を指示する作業指示部と、を備え、
前記作業指示部は、音声を認識可能であり、配線のうち第１の配線部の接続作業を指示し、当該接続作業の完了を示す音声を認識すると、前記配線のうち前記第１の配線部の次に接続する第２の配線部の接続作業を指示する配線接続支援装置。
【請求項２】
前記作業指示部は、前記第１の配線部の接続作業を指示する際に、前記配線接続指示データに基づいて前記接続図面を表示し、前記第１の配線部の接続作業の完了を示す発話音声を認識すると、前記接続図面に含まれる文字のうち前記第１の配線部の接続位置に該当する文字の表示態様を変更する請求項１に記載の配線接続支援装置。
【請求項３】
前記データ生成部は、前記接続作業で選定すべき工具と前記接続作業の作業標準とを示す工具選定／作業標準データに基づいて、前記配線接続指示データとして、前記接続位置に対応付けて前記工具と前記作業標準とを表示可能なデータを生成する請求項１または２に記載の配線接続支援装置。
【請求項４】
前記データ生成部は、前記接続図面データに基づいて、前記接続位置における配線の接続状態を検査する検査作業のノウハウを反映した検査順に前記接続位置の読み上げと表示との少なくとも一方を行うことで前記検査作業を指示可能な配線検査指示データを更に生成し、
前記作業指示部は、前記配線検査指示データに基づいて前記検査作業を指示する請求項１〜３のいずれか１項に記載の配線接続支援装置。
【請求項５】
前記データ生成部は、前記接続図面データに基づいて、配線の一端側から他端側に向かう順に前記接続位置が記述された布線図を示す布線図データを更に生成し、
前記配線接続支援装置は、前記布線図データに基づいて前記布線図を印刷する印刷機を備える請求項１〜４のいずれか１項に記載の配線接続支援装置。
【請求項６】
前記データ生成部は、前記接続図面データに基づいて、前記接続位置を刻印可能な刻印データを更に生成し、
前記配線接続支援装置は、前記刻印データに基づいて前記配線を挿通可能なチューブに前記接続位置を刻印する刻印器を備える請求項１〜５のいずれか１項に記載の配線接続支援装置。
【請求項７】
配線の接続方法を表現した接続図面を示す接続図面データに基づいて、配線の接続作業のノウハウを反映した接続順に配線を接続すべき複数の接続位置の読み上げと表示との少なくとも一方を行うことで前記接続作業を指示可能な配線接続指示データを生成し、
前記配線接続指示データに基づき、配線のうち第１の配線部の接続作業を指示し、当該接続作業の完了を示す音声を認識すると、前記配線のうち前記第１の配線部の次に接続する第２の配線部の接続作業を指示することを含む、配線接続支援方法。
【請求項８】
コンピュータに、
配線の接続方法を表現した接続図面を示す接続図面データを取得する手順、および
前記接続図面データに基づいて、配線の接続作業のノウハウを反映した接続順に配線を接続すべき複数の接続位置の読み上げと表示との少なくとも一方を行うことで前記接続作業の指示として、配線のうち第１の配線部の接続作業を指示し、当該接続作業の完了を示す音声を認識すると、前記配線のうち前記第１の配線部の次に接続すべき第２の配線部の接続作業を指示することが可能な配線接続指示データを生成する手順を実行させるための配線接続支援プログラム。
【発明の詳細な説明】
【技術分野】
【０００１】
本発明による実施形態は、配線接続支援装置、配線接続支援方法および配線接続支援プログラムに関する。
【背景技術】
【０００２】
従来から、発電プラント向けの制御装置の配電盤内に組み込まれるユニット製品は、発電プラントやプラント内の機器に応じて仕様が異なるインデント品であったため、構成が複雑で製作手順が一様でなかった。また、ユニット製品は、限られたスペース内に多数の配線を収納しなければならないため、機械化が進まず、単線を用いたワイヤラッピングによる人作業で製作する必要があった。
【０００３】
従来は、人作業でユニット製品を製作する際に、配線の仕様や接続先などの接続方法を記述した図面を確認しながら配線を接続していた。しかし、図面を確認しながらの接続作業には多くの時間を要するといった問題があった。
【０００４】
なお、従来から、制御盤の配線作業を音声で指示する技術が提案されていた。しかるに、このような技術を用いて配線作業を行っても、必ずしも要求される品質の製品を得ることができないといった問題があった。
【先行技術文献】
【特許文献】
【０００５】
【特許文献１】特開昭６３−３５１０６号公報
【発明の概要】
【発明が解決しようとする課題】
【０００６】
本発明は上述した課題を解決するためになされたものであり、要求される品質の製品が簡便かつ確実に得られるように配線の接続作業を支援できる配線接続支援装置、配線接続支援方法および配線接続支援プログラムを提供することを目的とする。
【課題を解決するための手段】
【０００７】
本実施形態による配線接続支援装置は、
配線の接続方法を表現した接続図面を示す接続図面データに基づいて、配線の接続作業のノウハウを反映した接続順に配線を接続すべき複数の接続位置の読み上げと表示との少なくとも一方を行うことで前記接続作業を指示可能な配線接続指示データを生成するデータ生成部と、
前記配線接続指示データに基づいて前記接続作業を指示する作業指示部と、を備える。
【０００８】
本実施形態による配線接続支援方法は、
配線の接続方法を表現した接続図面を示す接続図面データに基づいて、配線の接続作業のノウハウを反映した接続順に配線を接続すべき複数の接続位置の読み上げと表示との少なくとも一方を行うことで前記接続作業を指示可能な配線接続指示データを生成し、
前記配線接続指示データに基づいて前記接続作業を指示する。
【０００９】
本実施形態による配線接続支援プログラムは、
コンピュータに、
配線の接続方法を表現した接続図面を示す接続図面データを取得する手順、および前記接続図面データに基づいて、配線の接続作業のノウハウを反映した接続順に配線を接続すべき複数の接続位置の読み上げと表示との少なくとも一方を行うことで前記接続作業を指示可能な配線接続指示データを生成する手順を実行させる。
【発明の効果】
【００１０】
本発明によれば、要求される品質の製品が簡便かつ確実に得られるように配線の接続作業を支援できる。
【図面の簡単な説明】
【００１１】
【図１】本実施形態を示す配線接続支援装置のブロック図である。
【図２】本実施形態の配線接続支援装置の動作例を示すフローチャートである。
【図３】図３Ａは、本実施形態の配線接続支援装置を適用可能なユニット製品を示す正面斜視図であり、図３Ｂは、図３Ａのユニット製品の背面斜視図である。
【図４】図４Ａは、本実施形態の配線接続支援装置を適用可能なラッピングポストおよび渡り配線を示す背面図であり、図４Ｂは、ラッピングポストの上段および下段への渡り配線の接続状態を示す側面図である。
【図５】本実施形態の配線接続支援装置に用いられる接続図面データの一例を示す模式図である。
【図６】本実施形態の配線接続支援装置で生成される配線接続指示データの一例を示す模式図である。
【図７】本実施形態の配線接続支援装置で生成される布線図データの一例を示す模式図である。
【図８】本実施形態の配線接続支援装置で得られる刻印チューブの一例を示す模式図である。
【図９】本実施形態の配線接続支援装置の動作例として、配線接続指示データに基づく配線接続指示工程を示すフローチャートである。
【図１０】本実施形態の配線接続支援装置の動作例として、配線接続指示工程における渡り配線の接続指示工程を示すフローチャートである。
【図１１】本実施形態の配線接続支援装置で表示される画面の一例を示す模式図である。
【図１２】本実施形態の配線接続支援装置で認識される発話コマンドとこれに対応する指令内容との一例を示す図である。
【図１３】本実施形態の配線接続支援装置において、接続作業の完了を示す発話コマンドに応じて表示される画面の一例を示す模式図である。
【図１４】本実施形態の配線接続支援装置を適用可能な検査作業を示す模式図である。
【図１５】本実施形態の配線接続支援装置の動作例として、配線検査指示データに基づく配線検査指示工程を示すフローチャートである。
【発明を実施するための形態】
【００１２】
以下、図面を参照して本発明に係る実施形態を説明する。本実施形態は、本発明を限定するものではない。
【００１３】
図１は、本実施形態を示す配線接続支援装置１のブロック図である。本実施形態の配線接続支援装置１は、例えば、発電所向け制御装置の配電盤内に組み込まれるユニット製品を製造する際に、配線すなわち電線の接続に用いることができる。
【００１４】
図１に示すように、配線接続支援装置１は、データ生成部１１と、作業指示部１２と、印刷機１３と、刻印器１４と、表示装置１５と、ヘッドセット１６すなわち音声入出力機とを備える。
【００１５】
（データ生成部１１）
データ生成部１１は、配線接続指示データ生成部１１１と、配線検査指示データ生成部１１２と、布線図データ生成部１１３と、刻印データ生成部１１４とを備える。また、データ生成部１１は、配線接続指示データ記憶部１１５と、配線検査指示データ記憶部１１６と、布線図データ記憶部１１７と、刻印データ記憶部１１８とを備える。
【００１６】
データ生成部１１は、例えば、演算処理装置および記憶装置などのハードウェアである。データ生成部１１の一部をスクリプトやプログラムなどのソフトウェアで構成してもよい。
【００１７】
データ生成部１１には、不図示の入力装置を用いた入力操作によって、接続図面データＤ１１と、工具選定／作業標準データＤ１２とが入力される。入力装置は、例えば、表示装置１５のタッチパネル、マウスまたはキーボードなどであってもよい。
【００１８】
接続図面データＤ１１は、文字および図形で配線の接続方法を表現した接続図面を示すデータである。接続図面データＤ１１は、製品の設計で作成されるデータであり、例えば、ＣＡＤ(computer assisted drafting)データである。接続図面データＤ１１に含まれる文字すなわちテキストデータは、配線の接続位置を示す。配線の接続位置は、例えば、ユニット製品のリレーのラッピングポストなどの電気機器（すなわち、電気用品）の端子である。接続位置は、ラッピングポストの上段および下段のいずれかを指定してもよい。接続図面の具体的な態様は特に限定されない。例えば、接続図面は、複数の電気機器を表現した複数の矩形のブロックを含んでいてもよい。各ブロックには、配線の一部の区間である配線部（例えば、渡り配線）の一端が接続された電気機器の端子の端子番号と、配線の配線番号と、配線部の他端が接続された他の電気機器または同じ電気機器内の他の端子が記述されていてもよい。接続図面および接続図面データＤ１１の更なる詳細は、後述の動作例で説明する。
【００１９】
工具選定／作業標準データＤ１２は、接続作業で選定すべき工具と接続作業の作業標準とを示すデータである。工具は、例えば、ラッピングポストへの配線の接続すなわちワイヤラッピングに用いるビットやスリーブなどであってもよい。また、作業標準は、例えば、ラッピングポストに巻き付けられる配線部の端部における配線部の被覆の剥き寸法や、ラッピングポストへの配線部の巻き付け回数などであってもよい。工具選定／作業標準データＤ１２の更なる詳細は、後述の動作例で説明する。
【００２０】
（配線接続指示データ生成部１１１）
配線接続指示データ生成部１１１は、入力された接続図面データＤ１１および工具選定／作業標準データＤ１２に基づいて、配線接続指示データＤ２１を生成する。
【００２１】
配線接続指示データＤ２１は、配線を接続すべき接続位置への配線の接続作業を指示可能なデータである。より具体的には、配線接続指示データＤ２１は、配線の接続作業のノウハウを反映した接続順（以下、単に接続順ともいう）に複数の接続位置の読み上げと表示とを行うことで接続作業を指示可能なデータである。また、配線接続指示データＤ２１は、接続図面を表示可能なデータである。また、配線接続指示データＤ２１は、接続位置に対応付けて工具と作業標準とを表示可能なデータである。例えば、配線接続指示データＤ２１は、接続図面データＤ１１と、接続順にしたがって接続図面データＤ１１中のテキストデータ（すなわち接続位置）をソートしたデータと、当該テキストデータに工具選定／作業標準データＤ１２を対応付けたデータとを含んでもよい。
【００２２】
接続順は、要求される品質の製品が得られるように配線の接続作業を行うことができる接続順である。例えば、接続順は、ラッピングポストの上段への配線の接続作業よりもラッピングポストの下段への配線の接続作業を優先させる。また、接続順は、同一の電気機器内または異なる電気機器間での信号ラインの渡り配線の接続作業よりも、電気機器からコネクタ側に渡る電源ラインの渡り配線の接続作業を優先させてもよい。配線接続指示データＤ２１の更なる詳細は、後述の動作例で説明する。
【００２３】
配線接続指示データ生成部１１１は、生成された配線接続指示データＤ２１を配線接続指示データ記憶部１１５に記憶させる。
【００２４】
配線接続指示データ生成部１１１によれば、既製の接続図面データＤ１１を活用して配線接続指示データＤ２１を低コストで生成できる。
【００２５】
（配線検査指示データ生成部１１２）
配線検査指示データ生成部１１２は、入力された接続図面データＤ１１に基づいて配線検査指示データＤ２２を生成する。
【００２６】
配線検査指示データＤ２２は、接続位置における配線の接続状態を検査する検査作業を指示可能なデータである。より具体的には、配線検査指示データＤ２２は、検査作業のノウハウを反映した検査順（以下、単に検査順ともいう）に複数の接続位置の読み上げを行うことで検査作業を指示可能なデータである。配線検査指示データＤ２２は、検査順に接続位置を表示可能であってもよい。また、配線検査指示データＤ２２は、接続図面を表示可能であってもよい。例えば、配線検査指示データＤ２２は、接続図面データＤ１１と、検査順に接続図面データＤ１１中のテキストデータをソートすることで得られたデータとを含んでもよい。
【００２７】
検査順は、容易に検査作業を行うことができる検査順である。例えば、検査順は、接続順と逆であってもよい。配線検査指示データＤ２２の更なる詳細は、後述の動作例で説明する。
【００２８】
配線検査指示データ生成部１１２は、生成された配線検査指示データＤ２２を配線検査指示データ記憶部１１６に記憶させる。
【００２９】
配線検査指示データ生成部１１２によれば、既製の接続図面データＤ１１を活用して配線検査指示データＤ２２を低コストで生成できる。
【００３０】
（布線図データ生成部１１３）
布線図データ生成部１１３は、入力された接続図面データＤ１１に基づいて布線図データＤ２３を生成する。
【００３１】
布線図データＤ２３は、配線の一端側から他端側に向かう順に複数の接続位置が記述された布線図を示すデータである。接続位置以外にも、布線図には、例えば、配線の仕様や回路分離すなわち配線分岐を示す分離記号が記述されている。配線の仕様は、配線の線種、色、径、本数および長さなどであってもよい。布線図および布線図データＤ２３の更なる詳細は、後述の動作例で説明する。
【００３２】
布線図データ生成部１１３は、生成された布線図データＤ２３を布線図データ記憶部１１７に記憶させる。
【００３３】
布線図データ生成部１１３によれば、既製の接続図面データＤ１１を活用して布線図データＤ２３を低コストで生成できる。
【００３４】
（刻印データ生成部１１４）
刻印データ生成部１１４は、入力された接続図面データＤ１１に基づいて刻印データＤ２４を生成する。
【００３５】
刻印データＤ２４は、配線を挿通可能な刻印チューブ４に接続位置を刻印可能なデータである。刻印データＤ２４の更なる詳細は、後述の動作例で説明する。
【００３６】
刻印データ生成部Ｄ２４は、生成された刻印データＤ２４を刻印データ記憶部１１８に記憶させる。
【００３７】
刻印データ生成部１１４によれば、既製の接続図面データＤ１１を活用して刻印データＤ２４を低コストで生成できる。
【００３８】
（作業指示部１２）
作業指示部１２は、配線接続指示データＤ２１に基づいて接続作業を指示する。また、作業指示部１２は、配線検査指示データＤ２２に基づいて検査作業を指示する。接続作業および検査作業を指示するための具体的な構成として、作業指示部１２は、制御部１２１と、音声合成部１２２と、図面表示部１２４と、発声辞書記憶部１２５と、音声認識部１２６と、発話コマンド記憶部１２７と、履歴データ記憶部１２８とを備える。
【００３９】
作業指示部１２は、例えば、演算処理装置および記憶装置などのハードウェアである。作業指示部１２の一部をスクリプトやプログラムなどのソフトウェアで構成してもよい。
【００４０】
作業指示部１２には、不図示の入力装置を用いた入力操作によって、配線接続指示データＤ２１または配線検査指示データＤ２２が入力される。
【００４１】
（制御部１２１）
制御部１２１は、接続作業の指示と検査作業の指示とを制御する。
【００４２】
具体的には、制御部１２１は、配線接続指示データＤ２１が入力された場合、入力された配線接続指示データＤ２１のうち、接続順にしたがった接続位置の読み上げに用いる接続時読み上げ用データＤ２１１を音声合成部１２２に入力する。また、制御部１２１は、配線接続指示データＤ２１のうち、接続順にしたがった接続位置の表示および接続図面の表示に用いる接続時表示用データＤ２１２を図面表示部１２４に入力する。
【００４３】
より具体的には、制御部１２１は、音声認識部１２６で或る１つの配線部の接続作業の完了を示す発話コマンドが認識された場合に、次に接続すべき配線部に対応する接続時読み上げ用データＤ２１１を音声合成部１２２に入力する。同様に、制御部１２１は、音声認識部１２６で１つの配線部の接続作業の完了を示す発話コマンドが認識された場合に、次に接続すべき配線部に対応する接続時表示用データＤ２１２を図面表示部１２４に入力する。これにより、作業指示部１２は、１つの配線部の接続作業の完了を確認したうえで次の配線部の接続作業を指示できる。
【００４４】
一方、制御部１２１は、配線検査指示データＤ２２が入力された場合、入力された配線検査指示データＤ２２のうち、検査順にしたがった接続位置の読み上げに用いる検査時読み上げ用データＤ２２１を音声合成部１２２に入力する。また、制御部１２１は、配線検査指示データＤ２２のうち、接続図面の表示に用いる検査時表示用データＤ２２２を図面表示部１２４に入力する。
【００４５】
より具体的には、制御部１２１は、音声認識部１２６で或る１つの配線部の検査作業の完了を示す発話コマンドが認識された場合に、次に検査すべき配線部に対応する検査時読み上げ用データＤ２２１を音声合成部１２２に入力する。同様に、制御部１２１は、音声認識部１２６で１つの配線部の検査作業の完了を示す発話コマンドが認識された場合に、次に検査すべき配線部に対応する検査時表示用データＤ２２２を図面表示部１２４に入力する。これにより、作業指示部１２は、１つの配線部の検査作業の完了を確認したうえで次の配線部の検査作業を指示できる。
【００４６】
また、制御部１２１は、音声認識部１２６で或る１つの配線部の接続作業の完了を示す発話コマンドが認識された場合に、接続図面に含まれる文字のうち、当該１つの配線部の接続位置に該当する文字の表示態様を変更する制御を行う。表示態様の変更は、例えば、該当する文字の塗り潰しであってもよい。接続作業が完了した接続位置に該当する文字の表示態様を変更することで、作業者は、視覚を通じて現在の接続作業の進行状況を容易に把握できる。
【００４７】
また、制御部１２１は、音声認識部１２６で或る１つの配線部の検査作業の完了を示す発話コマンドが認識された場合に、接続図面に含まれる文字のうち、当該１つの配線部の接続位置に該当する文字の表示態様を変更する制御を行う。検査作業が完了した接続位置に該当する文字の表示態様を変更することで、作業者は、視覚を通じて現在の検査作業の進行状況を容易に把握できる。
【００４８】
なお、制御部１２１は、音声認識部１２６で接続作業の完了および検査作業の完了以外の発話コマンドが認識された場合には、認識された発話コマンドに応じた動作を実行する。発話コマンドの更なる詳細は、後述の動作例で説明する。
【００４９】
（音声合成部１２２）
音声合成部１２２は、接続時読み上げ用データＤ２１１が入力された場合、入力された接続時読み上げ用データＤ２１１を実行することで、接続順にしたがった接続位置の読み上げによる接続作業の指示を行う。
【００５０】
より具体的には、発声辞書記憶部１２５には、文字と音声との対応関係を示す発声辞書が記憶されており、音声合成部１２２は、接続時読み上げ用データＤ２１１中のテキストデータの並び順に、発声辞書からテキストデータに対応する音声データを抽出する。これにより、音声合成部１２２は、接続順にしたがって接続位置を読み上げる接続時音声データＤ２１１１を生成する。音声合成部１２２は、生成された接続時音声データＤ２１１１を表示装置１５に出力する。表示装置１５は、無線通信で、接続時音声データＤ２１１１をヘッドセット１６に出力する。ヘッドセット１６は、接続時音声データＤ２１１１を音声出力する。
【００５１】
接続順にしたがった接続位置の読み上げによる接続作業の指示を行うことで、作業者は、接続図面に基づいて接続位置を確認する煩雑な作業を要することなく、接続位置を簡便かつ迅速に確認できる。また、接続作業のノウハウを反映した接続順に接続位置が読み上げられるので、作業者は、その熟練度によらず、要求される品質の製品が確実に得られる接続作業を行うことができる。
【００５２】
一方、音声合成部１２２は、検査時読み上げ用データＤ２２１が入力された場合、入力された検査時読み上げ用データＤ２２１を実行することで、検査順にしたがった接続位置の読み上げによる検査作業の指示を行う。
【００５３】
より具体的には、音声合成部１２２は、検査時読み上げ用データＤ２２１中のテキストデータの並び順に、辞書データからテキストデータに対応する音声データを抽出する。これにより、音声合成部１２２は、検査順にしたがって接続位置を読み上げる検査時音声データＤ２２１１を生成する。音声合成部１２２は、表示装置１５を介して検査時音声データＤ２２１１をヘッドセット１６に出力することで、検査時音声データＤ２２１１を音声出力させる。
【００５４】
検査順にしたがった接続位置の読み上げによる検査作業の指示を行うことで、作業者は、検査すべき接続位置を簡便かつ迅速に確認できる。また、検査作業のノウハウを反映した検査順に接続位置が読み上げられるので、作業者は、その熟練度によらず、容易に検査作業を行うことができる。
【００５５】
（図面表示部１２４）
図面表示部１２４は、接続時表示用データＤ２１２が入力された場合、入力された接続時表示用データＤ２１２を実行することで、接続順にしたがった接続位置の表示による接続作業の指示を行う。
【００５６】
より具体的には、図面表示部１２４は、接続時表示用データＤ２１２に基づいて、接続順にしたがった接続位置の表示と接続図面の表示とを行う接続時画像データＤ２１２１を生成する。図面表示部１２４は、生成された接続時画像データＤ２１２１を表示装置１５に出力する。表示装置１５は、接続時画像データＤ２１２１に応じた画像を表示する。
【００５７】
接続順にしたがった接続位置の表示による接続作業の指示を行うことで、作業者は、接続位置を更に簡便かつ確実に確認できる。また、接続作業のノウハウを反映した接続順に接続位置が表示されるので、作業者は、要求される品質の製品が更に確実に得られる接続作業を行うことができる。
【００５８】
一方、図面表示部１２４は、検査時表示用データＤ２２２が入力された場合、検査時表示用データＤ２２２に基づいて、接続図面を表示する検査時画像データＤ２２２１を生成する。図面表示部１２４は、表示装置１５を介して、生成された検査時画像データＤ２２２１に対応する接続図面を表示する。
【００５９】
（音声認識部１２６）
音声認識部１２６には、表示装置１５を通じてヘッドセット１６から発話音声が入力される。音声認識部１２６は、入力された発話音声を認識可能である。具体的には、発話コマンド記憶部１２７には、音声に対応した発話コマンドを示す発話コマンドデータが記憶されており、音声認識部１２６は、入力された発話音声を発話コマンドデータと比較することで、発話音声に該当する発話コマンドＣを認識する。音声認識部１２６は、認識した発話コマンドＣを制御部１２１に出力する。制御部１２１は、音声認識部１２６からの発話コマンドＣに応じた動作を行い、また、履歴データ記憶部１２８に発話コマンドＣの履歴を記録する。
【００６０】
（印刷機１３）
印刷機１３には、布線図データ記憶部１１７に記憶された布線図データＤ２３が入力される。印刷機１３は、入力された布線図データＤ２３に応じた布線図２を印刷する。
【００６１】
（刻印器１４）
刻印器１４には、刻印データ記憶部１１８に記憶された刻印データＤ２４が入力される。刻印器１４は、刻印データＤ２４に基づいてチューブに接続位置を刻印することで、刻印チューブ４を生成する。刻印チューブ４の更なる詳細については、後述の動作例で説明する。
【００６２】
（動作例）
次に、配線接続支援装置１の動作例すなわち配線接続支援方法の一例について説明する。図２は、本実施形態の配線接続支援装置１の動作例を示すフローチャートである。図３Ａは、配線接続支援装置１を適用可能なユニット製品５を示す正面斜視図である。図３Ｂは、図３Ａのユニット製品５の背面斜視図である。
【００６３】
（対象製品）
配線接続支援装置１は、図２のフローチャートを実行することで、図３Ａ〜図４Ｂに示すユニット製品５の製造における配線５２の接続作業および検査作業を支援する。
【００６４】
ここで、図３Ａに示すように、ユニット製品５は、その正面５ａ側に複数の電気機器５１を有しており、各電気機器５１は、上下および左右に所定の間隔を空けて配置されている。図３Ｂに示すように、各電気機器５１の背面側には、配線５２を介してコネクタ５３が接続されている。コネクタ５３は、制御盤５４に接続されている。
【００６５】
また、図４Ａは、配線接続支援装置１を適用可能なラッピングポスト５１１および渡り配線５２１〜５２３を示す背面図である。なお、図４Ａにおいて、各電気機器５１は、Ａ１、Ａ２などの番号を有するロケーションとして表現されている。
【００６６】
より具体的には、図４Ａに示すように、各電気機器５１は、正面側に突出した１４個のラッピングポスト５１１を備える。電気機器５１には、各ラッピングポスト５１１に対応する端子番号が刻印されている。端子番号１番〜１２番のラッピングポスト５１１には、信号ラインを構成する配線部として、同じ電気機器５１内の他のラッピングポスト５１１に渡る機器内渡り配線５２１または異なる電気機器５１のラッピングポスト５１１もしくはコネクタ端子に渡る機器間渡り配線５２２が接続されている。なお、図４Ａ中の機器間渡り配線５２２のうち、図４Ｂに示されるものについては、符号“５２２＿１”〜“５２２＿５”で表されている。また、端子番号１３番および１４番のラッピングポスト５１１には、電源ラインを構成する配線部として、電源渡り配線５２３が接続されている。なお、電気機器５１から引き出された渡り配線５２２、５２３は、幹線５２４および本線５２５を経由してコネクタ５３に接続されている。したがって、配線５２は、渡り配線５２１、５２２、５２３と、幹線５２４と、本線５２５とが繋げられたものである。
【００６７】
図４Ｂは、ラッピングポスト５１１の上段および下段への渡り配線５２２の接続状態を示す側面図である。図４Ｂには、機器間渡り配線５２２として、ラッピングポスト５１１の下段間に接続された第１渡り配線５２２＿１、第３渡り配線５２２＿３および第５渡り配線２２＿５が示されている。また、図４Ｂには、ラッピングポスト５１１の上段間に接続された第２渡り配線５２２＿２および第４渡り配線５２２＿４が示されている。なお、第１〜第５渡り配線５２２＿１〜５は、同じ配線番号を有する１つの配線を構成している。  
【００６８】
図４Ｂに示すように、第１渡り配線５２２＿１の一端は、ロケーションＡ１の端子番号１番のラッピングポスト５１１の下段に接続されている。図４Ｂにおいて、第１渡り配線５２２＿１の一端の接続位置は、“Ａ１（ロケーション番号）−１（端子番号）−下（上段または下段）”と表現されている。また、第１渡り配線５２２＿１の他端は、ロケーションＡ２の端子番号１番のラッピングポスト５１１の下段に接続されている。図４Ｂにおいて、第１渡り配線５２２＿１の他端の接続位置は、“Ａ２−１−下”と表現されている。したがって、第１の渡り配線５２２＿１は、接続位置“Ａ１−１−下”と接続位置“Ａ２−１−下”との間に接続されている。他の配線の接続位置についても同様の要領で表現されている。
【００６９】
（データＤ１１、Ｄ１２の入力工程：Ｓ１）
以上のようなユニット製品５の製造における配線５２の接続作業を支援するため、図２に示すように、配線接続支援装置１は、データ生成部１１に、接続図面データＤ１１と工具選定／作業標準データＤ１２とを入力する（ステップＳ１）。
【００７０】
図５は、本実施形態の配線接続支援装置１に用いられる接続図面データＤ１１の一例を示す模式図である。図５に示すように、接続図面データＤ１１は、ロケーション（例えば、Ａ１、Ａ２、・・・、Ａ６、Ｘ１、Ｘ２等）を表現した複数の矩形のブロックを含んでいる。各ブロックには、配線部の一端が接続されたラッピングポスト５１１の端子番号（例えば、１〜１４）と、配線部が属する配線の配線番号（例えば、ＰＡ１、ＮＡ１、ＬＡ１等）と、配線部の他端が接続された他のロケーションまたは同じロケーション内の他のラッピングポスト５１１が記述されている。その他にも、各ブロックには、機器名、定格電圧およびデバイス名などが記述されていてもよい。
【００７１】
例えば、ロケーションＡ１のブロックには、端子番号１番のラッピングポスト５１１に、配線番号ＰＡ１の配線に属する機器間渡り配線５２２（配線部）の一端が接続され、この機器間渡り配線５２２の他端が、ロケーションＡ２に接続されていることが記述されている。また、例えば、ロケーションＡ６のブロックには、端子番号２番のラッピングポスト５１１に、配線番号ＮＡ１の配線に属する機器内渡り配線５２１（配線部）の一端が接続され、この機器内渡り配線５２１の他端が、端子番号５番のラッピングポスト５１１に接続されていることが記述されている。
【００７２】
もし、接続図面を見ながら接続作業を行う場合、作業者は、ロケーションＡ１のブロックを見ただけでは、配線番号ＰＡ１に属する機器間渡り配線５２２がロケーションＡ２のどの端子番号のラッピングポスト５１１に接続されるのかが理解できない。すなわち、作業者は、ロケーションＡ２のブロックも見なければ、配線番号ＰＡ１に属する機器間渡り配線５２２がロケーションＡ２の端子番号１番のラッピングポスト５１１に接続されることが理解できない。したがって、接続図面を見ながらの接続作業は、煩雑な確認作業をともなう。これに対して、本実施形態では、後述するように、接続順にしたがった接続作業の指示を行うことで、作業者に接続位置を簡便かつ正確に理解させることができる。
【００７３】
なお、データ生成部１１への接続図面データＤ１１および工具選定／作業標準データＤ１２の入力は、表示画面において、データ生成部１１を示すアイコン上に各データＤ１１、Ｄ１２を示すアイコンがドラッグ＆ドロップされることに応じて実行してもよい。
【００７４】
（データ生成工程：Ｓ２）
次いで、図２に示すように、データ生成部１１の各構成部１１１〜１１４は、入力（取得）されたデータＤ１１、Ｄ１２に基づいて、配線接続指示データＤ２１と、配線検査指示データＤ２２と、布線図データＤ２３と、刻印データＤ２４とを生成する（ステップＳ２）。
【００７５】
図６は、本実施形態の配線接続支援装置１で生成される配線接続指示データＤ２１の一例を示す模式図である。図６の配線接続指示データＤ２１は、図４Ｂの渡り配線５２２＿１〜５に対応する。図４Ｂの渡り配線５２２＿１〜５の接続作業を指示するため、配線接続指示データ生成部１１１は、例えば、図６に示すように、Ａ１−１−下、Ａ２−１−下、Ａ３−１−下、Ａ４−１−下、Ａ５−１−下、Ａ６−１−下、Ａ２−１−上、Ａ３−１−上、Ａ４−１−上、Ａ５−１−上の順に接続位置（テキストデータ）をソートしたデータＤ２１を生成する。図６の配線接続指示データＤ２１の生成において、配線接続指示データ生成部１１１は、上段または下段を示す情報を接続図面データＤ１１または工具選定／作業標準データＤ１２から取得する。
【００７６】
配線接続指示データＤ２１の生成において、配線接続指示データ生成部１１１は、回路分離数が多い順に接続図面データＤ１１中のテキストデータすなわち接続位置をソートしてもよい。
【００７７】
また、配線接続指示データＤ２１の生成において、配線接続指示データ生成部１１１は、接続図面データＤ１１および工具選定／作業標準データＤ１２を配線接続指示データＤ２１の一部としてもよい。
【００７８】
配線検査指示データＤ２２の生成において、配線検査指示データ生成部１１２は、配線接続指示データＤ２１のソート順と逆の順序で接続位置をソートしてもよい。また、配線検査指示データ生成部１１２は、接続図面データＤ１１を配線検査指示データＤ２２の一部としてもよい。
【００７９】
図７は、本実施形態の配線接続支援装置で生成される布線図データＤ２３の一例を示す模式図である。布線図データ生成部１１３は、例えば、図７に示すような布線図データＤ２３を生成する。図７に示すように、布線図データＤ２３には、配線番号（例えば、ＰＡ１、ＮＡ１等）毎に、配線の一端側から他端側に向かって順に、配線を接続すべき複数の接続位置をソートしたレコード情報が記述されている。レコード情報において、接続位置はロケーションと端子番号との組み合わせ（例えば、Ａ１−１、Ａ２−１等）として記述されている。また、布線図データＤ２３には、回路分離記号や、配線の種類、色、径、本数および接続位置間の長さ（電線長）などの仕様が記述されている。また、各レコード情報には、レコード番号（例えば、Ｗ００１、Ｗ００２等）が対応付けられている。
【００８０】
刻印データＤ２４の生成において、刻印データ生成部１１４は、接続図面データＤ１１のうち、コネクタ２３に該当するロケーションおよび端子番号を示すテキストデータを刻印データＤ２４として抽出してもよい。
【００８１】
（段取り工程：Ｓ３、Ｓ４）
次いで、図２に示すように、印刷機１３は、段取り工程として、布線図データＤ２３に基づく布線図の印刷を行う（ステップＳ３）。
【００８２】
作業者は、印刷された布線図に記述された電線長に配線を切断する等して、接続作業の準備を行うことができる。
【００８３】
ここで、接続図面データＤ１１においては、ロケーション毎に接続位置がまとまっていたのに対して、布線図データＤ２３では、配線番号毎に接続位置がまとまっている。したがって、作業者は、布線図データＤ２３を印刷した布線図において１つの配線の接続位置を先頭から追うことで、その配線がどの端子番号のラッピングポスト５１１を経由して繋がっているのかを把握できる。しかしながら、布線図を見ながら接続作業を行う場合、配線の先頭から順に配線の接続作業を行うことはできても、ノウハウを反映した接続順に接続作業を行うことはできない。
【００８４】
例えば、ユニット製品５の改造等に応じて配線５２の一部を容易に交換できるように、図４Ｂに示すように、１つの配線５２（すなわち、配線番号）に属する渡り配線５２２＿１〜５を交互にラッピングポスト５１１の下段と上段に接続する場合がある。この場合のノウハウとして、下段側の配線５２２＿１、３、５の接続を上段側の配線５２２＿２、４の接続に優先させる方が、接続作業が容易で仕上がりも良好であるといったノウハウがある。
【００８５】
しかしながら、かかるノウハウを知らない経験の浅い作業者が布線図を見ながら接続作業を行った場合、図４Ｂの渡り配線５２２＿１〜５を、そのままの順番で接続してしまうことになる。これに対して、本実施形態では、後述するように、接続順にしたがった接続作業の指示を行うことで、下段側の配線５２２＿１、３、５を優先した接続作業を確実に行うことができる。
【００８６】
次いで、図２に示すように、刻印器１４は、段取り工程として、刻印データＤ２４に基づくチューブへの接続位置の刻印を行う（ステップＳ４）。
【００８７】
図８は、本実施形態の配線接続支援装置１で得られる刻印チューブ４の一例を示す模式図である。刻印チューブ４には、コネクタ５３への本線５２５の接続位置として、ロケーションと端子番号とが刻印されている。刻印チューブ４に、これに刻印された接続位置に接続すべき本線５２５を挿通させておくことで、接続位置に本線５２５を簡便かつ確実に接続できる。
【００８８】
（配線接続指示工程：Ｓ５）
次いで、図２に示すように、作業指示部１２は、配線接続指示データＤ２１に基づく配線接続指示工程を実行する（ステップＳ５）。なお、作業指示部１２は、作業指示部１２を示すアイコン上に配線接続指示データＤ２１を示すアイコンがドラッグ＆ドロップされたことに応じて配線接続指示工程を実行してもよい。
【００８９】
図９は、本実施形態の配線接続支援装置１の動作例として、配線接続指示データＤ２１に基づく配線接続指示工程を示すフローチャートである。
【００９０】
配線接続指示工程においては、先ず、図９に示すように、回路分離が無い場合（ステップＳ５１：Ｎｏ）、作業指示部１２は、配線接続指示データＤ２１に基づいて、ラッピングポスト５１１下段への接続を優先させた電源渡り配線５２３の接続作業を指示する（ステップＳ５２）。
【００９１】
次いで、作業指示部１２は、配線接続指示データＤ２１に基づいて、ラッピングポスト５１１下段への接続を優先させた機器内／機器間渡り配線５２１、５２２の接続作業を指示する（ステップＳ５３）。
【００９２】
ここで、ラッピングポスト５１１の下段への接続を優先させた機器内／機器間渡り配線５２１、５２２の接続作業の指示（ステップＳ５３）の具体例について説明する。図１０は、本実施形態の配線接続支援装置１の動作例として、配線接続指示工程における渡り配線の接続指示工程を示すフローチャートである。なお、図１０のフローチャートは、図４Ｂの機器間渡り配線５２２の接続作業に対する作業指示部１２の動作を示したものであるが、作業指示部１２は、機器内渡り配線５２１の接続作業および電源渡り配線５２３の接続作業に対しても同様に動作してよい。
【００９３】
図１０に示すように、先ず、音声合成部１２２は、配線接続指示データＤ２１のうち、Ａ１−１−下とＡ２−１−下との２つの接続位置を読み上げる接続時読み上げ用データＤ２１１に基づいて、Ａ１−１−下およびＡ２−１−下に対応する接続時音声データＤ２１１１を生成する。そして、音声合成部１２２は、生成された接続時音声データＤ２１１１をヘッドセット１６に出力する。これにより、作業指示部１２は、第１渡り配線５２２＿１の接続を指示するＡ１−１−下とＡ２−１−下の読み上げを行う（ステップＳ５３１）。例えば、作業指示部１２は、“下段、Ａ１、１番からＡ２、１番まで”と読上げてもよい。
【００９４】
図１１は、本実施形態の配線接続支援装置１で表示される画面の一例を示す模式図である。Ａ１−１−下とＡ２−１−下とを読み上げる際に、図面表示部１２４は、配線接続指示データＤ２１のうち、Ａ１−１−下とＡ２−１−下との２つの接続位置を表示する接続時表示用データＤ２１２に基づいて、Ａ１−１−下およびＡ２−１−下に対応する接続時画像データＤ２１２１を生成する。そして、図面表示部１２４は、生成された接続時画像データＤ２１２１を表示装置１５に出力する。これにより、作業指示部１２は、図１１に示すように、第１渡り配線５２２＿１の接続を指示するＡ１−１−下とＡ２−１−下の指示画面６を表示する。指示画面６には、接続位置に対応付けて、配線の仕様（種類、色、径）、回路分離記号、工具（ビット、スリーブ）および作業標準（剥き寸、巻き数）が記述されている。このとき、図面表示部１２４は、図１１に示すように、接続図面データＤ１１に基づいて接続図面７も表示する。
【００９５】
図１２は、本実施形態の配線接続支援装置１で認識される発話コマンドとこれに対応する指令内容との一例を示す図である。Ａ１−１−下とＡ２−１−下の読み上げ（図１０のステップＳ５３１）の後、音声認識部１２３は、ヘッドセット１６を通じて入力された発話音声を図１２に示される発話コマンドデータと比較することで、発話音声を認識する。そして、図１０に示すように、制御部１２１は、第１渡り配線５２２＿１の接続作業の完了を示す“ＯＫ”が音声認識部１２３で認識されたか否かに基づいて、第１渡り配線５２２＿１の接続作業の完了の有無を判定する（ステップＳ５３２）。
【００９６】
図１３は、本実施形態の配線接続支援装置１において、接続作業の完了を示す発話コマンドに応じて表示される画面の一例を示す模式図である。
【００９７】
第１渡り配線５２２＿１の接続作業が完了した場合（図１０のステップＳ５３２：Ｙｅｓ）、制御部１２１は、図面表示部１２４を制御することで、図１３に示すように、接続図面７のうちＡ１−１−下とＡ２−１−下とに該当する文字を塗り潰す（図１０のステップＳ５３３）。図１３では、ロケーションＡ１のブロックのうち、端子番号“１”と、配線番号“ＰＡ１”と、接続先ロケーション“Ａ２”とに、所定色の１本のライン７１が重ね書きされている。また、図１３では、ロケーションＡ２のブロックのうち、端子番号“１”と、配線番号“ＰＡ１”と、接続先ロケーション“Ａ１”とに、所定色の１本のライン７２が重ね書きされている。ただし、ライン７１、７２は、重ね書き（塗りつぶし）された下の文字に対して透明度が高いので、作業者は、重ね書きされた文字を視認できる。ライン７１、７２が表示されることで、作業者は、視覚を通じてロケーションＡ１の１番端子とロケーションＡ２の１番端子との間の第１渡り配線５２２＿１の接続作業が完了していることを容易に把握できる。
【００９８】
第１渡り配線５２２＿１の接続作業が完了していない場合（ステップＳ５３２：Ｎｏ）、制御部１２１は、判定を繰り返す（ステップＳ５３２）。なお、接続作業が完了していないケースとしては、音声が認識されていない場合や、“ＮＯ”や“再読”などが認識された場合が挙げられる。
【００９９】
作業指示部１２は、以上の処理（Ｓ５３１〜５３３）と同様の処理を、Ａ１−１−下およびＡ２−１−下の後続の接続位置に対して繰り返す。
【０１００】
すなわち、作業指示部１２は、第３渡り配線５２２＿３の接続を指示するＡ３−１−下およびＡ４−１−下の読み上げ（ステップＳ５３４）と、Ａ３−１−下およびＡ４−１−下の指示画面の表示とを行う。なお、文字の塗り潰し（ステップＳ５３３）後の接続図面７は、表示されたままである。次いで、制御部１２１は、“ＯＫ”の認識の有無に基づいて第３渡り配線５２２＿３の接続作業の完了の有無を判定し（ステップＳ５３５）、接続作業が完了した場合（ステップＳ５３５：Ｙｅｓ）、接続図面７のうちＡ３−１−下とＡ４−１−下とに該当する文字を新たに塗り潰す（ステップＳ５３６）。接続作業が完了していない場合（ステップＳ５３５：Ｎｏ）、制御部１２１は、判定を繰り返す（ステップＳ５３５）。
【０１０１】
次いで、作業指示部１２は、第５渡り配線５２２＿５の接続を指示するＡ５−１−下およびＡ６−１−下の読み上げ（ステップＳ５３７）と指示画面の表示とを行う。次いで、制御部１２１は、第５渡り配線５２２＿５の接続作業の完了の有無を判定し（ステップＳ５３８）、完了した場合（ステップＳ５３８：Ｙｅｓ）、接続図面７のうちＡ５−１−下とＡ６−１−下とに該当する文字を新たに塗り潰し（ステップＳ５３９）、未完了の場合（ステップＳ５３８：Ｎｏ）、判定を繰り返す（ステップＳ５３８）。
【０１０２】
次いで、作業指示部１２は、第２渡り配線５２２＿２の接続を指示するＡ２−１−上およびＡ３−１−上の読み上げ（ステップＳ５３１０）と指示画面の表示とを行う。次いで、制御部１２１は、第２渡り配線５２２＿２の接続作業の完了の有無を判定し（ステップＳ５３１１）、完了した場合（ステップＳ５３１１：Ｙｅｓ）、接続図面７のうちＡ２−１−上とＡ３−１−上とに該当する文字を新たに塗り潰し（ステップＳ５３１２）、未完了の場合（ステップＳ５３１１：Ｎｏ）、判定を繰り返す（ステップＳ５３１１）。
【０１０３】
次いで、作業指示部１２は、第４渡り配線５２２＿４の接続を指示するＡ４−１−上およびＡ５−１−上の読み上げ（ステップＳ５３１３）と指示画面の表示とを行う。次いで、制御部１２１は、第４渡り配線５２２＿４の接続作業の完了の有無を判定し（ステップＳ５３１４）、完了した場合（ステップＳ５３１４：Ｙｅｓ）、接続図面７のうちＡ４−１−上とＡ５−１−上とに該当する文字を新たに塗り潰し（ステップＳ５３１５）、未完了の場合（ステップＳ５３１４：Ｎｏ）、判定を繰り返す（ステップＳ５３１４）。
【０１０４】
以上のようにして機器内／機器間渡り配線５２１、５２２の接続作業を指示した後（ステップＳ５３）、作業指示部１２は図９に示すように、配線接続指示データＤ２１に基づいて、コネクタ５３への本線５２５の接続作業を指示する（ステップＳ５４）。本線５２５の接続作業の指示は、基本的に渡り配線の場合と同様であるので詳細な説明は割愛する。なお、本線５２５の接続作業の指示では、本線５２５への刻印チューブ４の取り付けも促してよい。
【０１０５】
一方、図９に示すように、回路分離が有る場合（ステップＳ５１：Ｙｅｓ）、作業指示部１２は、配線接続指示データＤ２１に基づいて、回路分離数の降順に、電源渡り配線５２３の接続作業を指示する（ステップＳ５５）。例えば、作業指示部１２は、電源ラインの分岐点に該当するラッピングポスト５１１への電源渡り配線５２の接続を、電源ラインの分岐点に該当しないラッピングポスト５１１への電源渡り配線５２の接続に優先させる指示を行う。なお、回路分離数の降順にしたがった接続作業を指示する過程で、作業指示部１２は、更に、ラッピングポスト５１１の下段への接続をラッピングポスト５１１の上段への接続に優先させてもよい。
【０１０６】
次いで、作業指示部１２は、配線接続指示データＤ２１に基づいて、回路分離数の降順に、機器内／機器間渡り配線５２１、５２２の接続作業を指示する（ステップＳ５６）。
【０１０７】
次いで、作業指示部１２は、配線接続指示データＤ２１に基づいて、回路分離数の降順に、コネクタ５３への本線５２５の接続作業を指示する（ステップＳ５７）。
【０１０８】
以上のような配線接続指示工程（ステップＳ５）を行うことで、作業者は、ノウハウを反映した接続順にしたがった接続作業を行うことできる。具体的には、ラッピングポスト５１１の下段への接続を上段への接続に優先させることができ、これにより、配線の一端側から他端側に向かう順に接続作業を行う場合に比べて接続作業を簡便かつ適切に行うことができる。また、電源渡り配線５２３の接続を機器内／機器間渡り配線５２１、５２２の接続に優先させることができ、これにより、機器内／機器間渡り配線５２１、５２２の接続を電源渡り配線５２３の接続に優先させる場合に比べて、接続作業を簡便かつ適切に行うことができる。また、回路分離数が多い接続位置の接続を優先させることができ、これにより、回路分離数が少ない接続位置の接続を優先させる場合に比べて、接続作業を簡便かつ適切に行うことができる。
【０１０９】
（配線検査指示工程：Ｓ６）
図１４は、本実施形態の配線接続支援装置１を適用可能な検査作業を示す模式図である。図１４に示すように、検査作業では、電子ブザー８に接続された第１のテスト棒９Ａと第２のテスト棒９Ｂとを、配線５２の一端側である機器端子（ラッピングポスト５１１）と配線５２の他端であるコネクタ端子とに接触させる。ただし、製品の背面側に配置されたコネクタ端子に第２のテスト棒９Ｂを直接接触させることは難しいので、第２のテスト棒９Ｂは、コネクタ５３に接続された専用の治具１０を介してコネクタ端子に間接的に接触させる。電子ブザー８が鳴ることで、作業者は、配線５２が適切に接続されていることを検知できる。電子ブザー８が鳴らないことで、作業者は、配線５２が適切に接続されていないことを検知できる。
【０１１０】
このような検査作業を指示するため、図２に示すように、作業指示部１２は、配線検査指示データＤ２２に基づく配線検査指示工程を実行する（ステップＳ６）。なお、作業指示部１２は、作業指示部１２を示すアイコン上に配線検査指示データＤ２２を示すアイコンがドラッグ＆ドロップされたことに応じて配線検査指示工程を実行してもよい。
【０１１１】
図１５は、本実施形態の配線接続支援装置１の動作例として、配線検査指示データに基づく配線検査指示工程を示すフローチャートである。
【０１１２】
図１５に示すように、配線検査指示工程（ステップＳ６）において、先ず、制御部１２１は、初期処理を行う（ステップＳ６１）。初期処理は、配線接続支援装置１に作業者名を入力する処理である。初期処理は、例えば、タッチパネルやマウスなどの入力装置の操作で行ってもよく、または、音声認識部１２３の音声認識で行ってもよい。初期処理を行うことで、検査作業の結果に作業員名を紐付けることができる。
【０１１３】
次いで、制御部１２１は、読上げ判定処理を行う（ステップＳ６２）。読上げ判定処理は、検査順にしたがった接続位置の読み上げと、接続位置の読み上げの直後に認識された発話コマンドに基づく接続位置への接続の適否の判定とを行う処理である。なお、制御部１２１は、読み上げ判定処理の際に、読み上げられる接続位置を表示する制御を行う。接続位置の表示態様は、図１１と同様であってもよい。また、制御部１２１は、１回の読上げ判定処理において、現在検査すべき１つの配線部の接続位置を読み上げる。現在検査すべき配線部が、直前に検査した配線部と連続している場合（すなわち、同じ配線番号である場合）、制御部１２１は、“連続”とアナウンスしてもよい。この場合、作業者は、第２のテスト棒９Ｂの位置を固定したまま、第１のテスト棒９Ａのみを読み上げられた接続位置にずらすことで、検査作業を簡便に行うことができる。
【０１１４】
読上げ判定処理において判定された発話コマンドが接続位置に配線が適切に接続されていることを示す“ＯＫ”の場合、制御部１２１は、接続図面のうち、検査された接続位置に該当する文字を所定の色で塗り潰す制御を行う（ステップＳ６３）。塗り潰しの態様は、図１３に示したライン７１、７２と同様であってもよい。
【０１１５】
また、発話コマンドが接続位置に配線が適切に接続されていないことを示す“ＮＧ”の場合、制御部１２１は、接続図面のうち、検査された接続位置に該当する文字を“ＯＫ”の場合と異なる色で塗り潰す制御を行う（ステップＳ６４）。
【０１１６】
また、発話コマンドが“中断”の場合、制御部１２１は、後述する書込み処理（ステップＳ６７）に移行する。
【０１１７】
文字の塗り潰し（ステップＳ６３またはステップＳ６４）の後、制御部１２１は、現在読み上げられた接続位置が、末尾の接続位置（すなわちレコード）であるか否かを判定する（ステップＳ６５）。
【０１１８】
現在読み上げられた接続位置が末尾の接続位置である場合（ステップＳ６５：Ｙｅｓ）、制御部１２１は、読み上げ判定処理を中断して、書込み処理（ステップＳ６７）に移行する。書込み処理は、文字が塗り潰された接続図面を記憶部に記録する処理である。書き込み処理では、作業者名や日時を接続図面に対応付けて記録してもよい。書込み処理後は、処理を終了する。書込み処理を行うことで、検査結果を保存できる。
【０１１９】
現在読み上げられた接続位置が末尾の接続位置でない場合（ステップＳ６５：Ｎｏ）、制御部１２１は、指示対象の接続位置を変更（ステップＳ６６）したうえで、変更後の接続位置を対象とした読上げ判定処理（ステップＳ６２）に移行する。
【０１２０】
以上のような配線接続指示工程（ステップＳ６）を行うことで、作業者は、ノウハウを反映した検査順にしたがった検査作業を行うことできる。例えば、電気機器５１の背面側に引き出された配線５２３、５２４、５２５の接続状態の検査を、機器内／機器間渡り配線５２１、５２２の接続状態の検査に優先させることで、容易に検査作業を行うことができる。
【０１２１】
以上説明したように、本実施形態によれば、布線図データＤ２３に基づく布線図の印刷と、刻印データＤ２４に基づく刻印チューブ４の作製とを行うことで、布線図および刻印チューブ４を手作業で作製する場合に比較して、段取り工程の労力および作業時間を削減できる。
【０１２２】
また、本実施形態によれば、音声および表示によってノウハウを反映した接続順に接続作業を指示することで、簡便かつ仕上がりが良好な接続作業を行うことができる。すなわち、本実施形態によれば、作業者の熟練度にかかわらず要求される品質の製品が簡便かつ確実に得られるように接続作業を支援することができる。
【０１２３】
また、本実施形態によれば、音声および表示によってノウハウを反映した検査順に検査作業を指示することで、容易に検査作業を行うことができる。
【０１２４】
なお、図１１の指示画面６には、作業の目安時間と作業開始からの経過時間とを表示してもよい。これにより、効率的な接続作業を促すことができる。
【０１２５】
また、作業指示部１２は、接続順にソートされた接続位置を表示してもよい。これにより、作業者は、ノウハウを反映した接続順を一目で把握することができる。
【０１２６】
また、作業指示部１２は、検査順にソートされた接続位置を表示してもよい。これにより、作業者は、ノウハウを反映した検査順を一目で把握することができる。
【０１２７】
本実施形態の配線接続支援装置１の少なくとも一部は、ハードウェアで構成してもよいし、ソフトウェアで構成してもよい。ソフトウェアで構成する場合には、配線接続支援装置１の少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。また、配線接続支援装置１の少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【０１２８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１２９】
１  配線接続支援装置
１１  データ生成部
１２  作業指示部
【図１】
0006629060.tif 000002
【図２】
0006629060.tif 000003
【図３】
0006629060.tif 000004
【図４】
0006629060.tif 000005
【図５】
0006629060.tif 000006
【図６】
0006629060.tif 000007
【図７】
0006629060.tif 000008
【図８】
0006629060.tif 000009
【図９】
0006629060.tif 000010
【図１０】
0006629060.tif 000011
【図１１】
0006629060.tif 000012
【図１２】
0006629060.tif 000013
【図１３】
0006629060.tif 000014
【図１４】
0006629060.tif 000015
【図１５】
0006629060.tif 000016